(57)【特許請求の範囲】
【請求項１】
肌当接面側に配置される液透過性の表面シート、非肌当接面側に配置される防水性の裏面シート、及び該両シート間に介在された吸収体を有し、腹側部から股下部を介して背側部に亘る縦方向とこれに交差する幅方向とを備えた吸収性物品であって、
該吸収性物品は前記吸収体部分が外側着用物品の内側に配して使用されるものであり、該吸収性物品には幅方向外方に張り出す幅方向内方へ向けて前記裏面シート側に折り返し可能な張出し部があり、該張出し部には排泄液を検知可能な標識材が配設されており、
前記裏面シートが透湿性を有し前記張出し部にまで延在して前記標識材を覆うように構成されている吸収性物品。
【請求項２】
前記吸収体の非肌面側と裏面シートとの間に前記吸収性物品の幅方向外方へ向け液を拡散させる液拡散機構が配されている請求項１記載の吸収性物品。
【請求項３】
前記吸収体と裏面シートとの間には前記液拡散機構としての空間があり、該空間は前記張出し部の標識材まで連繋している請求項１又は２に記載の吸収性物品。
【請求項４】
前記張出し部には前記標識材を覆う肌面側の部材があり、該部材の不透明度が５０％以下である請求項１〜３のいずれか１項に記載の吸収性物品。
【請求項５】
前記標識材は、前記張出し部の平面視について幅方向に複数箇所存在するように配置されている請求項１〜４のいずれか１項に記載の吸収性物品。
【請求項６】
前記吸収性物品が外側着用物品の内側に配置されて使用され得るものであって、前記張出し部を着用者大腿部側へ折り返して外部視認容易に着用する請求項１〜５のいずれか１項に記載の吸収性物品。
【発明の詳細な説明】
【技術分野】
【０００１】
本発明は幅方向の両側に張出し部を有する吸収性物品に関する。
【背景技術】
【０００２】
おむつなどの吸収性物品において、吸収体に排尿等が吸収保持されたことを視覚的に保護者や介護者等に知らせる技術を適用したものがある。例えば、裏面シートと吸収体との間に水分と接触すると変色するインジケータを設けて、裏面シート側から透視可能とすることで変色を視認する方法がある（例えば、特許文献１〜３）。大人用の尿とりパッドなど、おむつの吸収体上や下着等に配置するものでも、裏面シートと吸収体との間にインジケータを設けて尿とりパッドの裏面シート側から透視可能としたものがある。これに対して、外側を覆うおむつ本体の吸収体に内部の尿とりパッドのインジケータを視認し易くするための穴を設ける技術がある（特許文献４参照）。
【先行技術文献】
【特許文献】
【０００３】
【特許文献１】特開平１１−４８５２号公報
【特許文献２】特開２００４−２２２８６８号公報
【特許文献３】実開昭５８−７８０９号公報
【特許文献４】特開２００７−９７６２７号公報
【発明の開示】
【発明が解決しようとする課題】
【０００４】
特許文献１〜３に開示の技術は、おむつの中央にインジケータを配設することが前提であって、尿とりパッドのように前記外側着用物品の内側に配することを考慮していない。仮にこれらの物品中央にインジケータを適用した尿とりパッドをおむつや下着、パッドホルダー等の内側に配して使用したとすると、外部からこのインジケータを視認し難い。通常おむつ等の外側の着用物をずらすかその腹回りを大きく広げて開けるかしなければ内方のインジケータを確認することができない。また、前記特許文献４の技術ではおむつ側の吸収体に穴があるためその吸収性能は不可避的に低下することとなる。吸収体本来の吸収性能を落とすことなく、しかも吸収性物品や下着等を装着したままで内部の尿とりパッドの取り替え時期を確認しやすくすることができれば、その利便性は大幅に向上する。排便と異なり排尿は日中頻繁にあることを考慮すると、利用者あるいは介護者等にとって尿とりパッドの交換に係る煩わしさを大きく改善しうるものとなる。
【０００５】
そこで本発明は、おむつや下着、パッドホルダー等の外側着用物品の内側に配置して用いうる尿とりパッド等の吸収性物品であって排尿があったことを確認しやすくした吸収性物品の提供を目的とする。
【課題を解決するための手段】
【０００６】
本発明は、肌当接面側に配置される液透過性の表面シート、非肌当接面側に配置される防水性の裏面シート、及び該両シート間に介在された吸収体を有し、腹側部から股下部を介して背側部に亘る縦方向とこれに交差する幅方向とを備えた吸収性物品であって、該吸収性物品は前記吸収体部分が外側着用物品の内側に配して使用されるものであり、該吸収性物品には幅方向外方に張り出す、前記幅方向内方へ向けて前記裏面シート側に折り返し可能な張出し部があり、該張出し部には排泄液を検知可能な標識材が配設された吸収性物品を提供するものである。
【発明の効果】
【０００７】
本発明の吸収性物品は、おむつや下着、パッドホルダー等の外側着用物品の内側に配置して用いうる尿とりパッド等の吸収性物品であって排尿があったことを確認しやすいという優れた効果を奏する。
【図面の簡単な説明】
【０００８】
【図１】本発明の吸収性物品における一実施形態（実施形態１）としての尿とりパッドを展開して股下部に沿ってやや湾曲させた状態を模式的に示す一部切欠斜視図である。
【図２】図１のＩＩ−ＩＩ線断面の拡大断面図であり、（ａ）は装着前のウィング部を伸長した状態を示し、（ｂ）はウィング部を折り返して着衣に固定した状態を示す。
【図３】本発明の別の実施形態（実施形態２）としての尿とりパッドを展開し伸長した状態を模式的に示す平面図である。
【図４】図３のＩＶ−ＩＶ線断面の拡大断面図である。
【図５】実施形態２の尿とりパッドにおける液拡散空間の変形例としての液拡散路を拡大して模式的に示す部分拡大平面図である。
【図６】本発明のさらに別の実施形態（実施形態３）として尿とりパッドを展開し伸長した状態を模式的に示す平面図である。
【図７】図６のＶＩＩ−ＶＩＩ線断面の拡大断面図である。
【図８】本発明のさらに別の実施形態（実施形態４）として尿とりパッドを展開し伸長した状態を模式的に示す平面図である。
【図９】本発明のさらに別の実施形態（実施形態５）として尿とりパッドを展開し伸長した状態を模式的に示す平面図である。
【発明を実施するための最良の形態】
【０００９】
［実施形態１］
図１は本発明の吸収性物品における一実施形態（実施形態１）としての尿とりパッドを展開して股下部に沿ってやや湾曲させた状態を模式的に示す一部切欠斜視図である。図２は図１のＩＩ−ＩＩ線断面の拡大断面図であり、（ａ）は装着前のウィング部を伸長した状態を示し、（ｂ）はウィング部を折り返して着衣ｗに固定した状態を示す。なお図２（ｂ）においてウィング部５と裏面シート２との関係を説明するため着衣ｗは２点鎖線で示した。
本実施形態１の尿とりパッド１０は、肌当接面側に配置される液透過性の表面シート１、非肌当接面側に配置される防水性の裏面シート２、該両シート間に介在された吸収体３からなる吸収本体部１０ａと幅方向外方に張出す張出し部としてのウィング部５とを有する。前記吸収本体部１０ａはその平面視において長方形状であり、着用者の腹側に配される腹側部Ｆ、股間に沿うようにわたす股下部Ｃ、及び背側に配される背側部Ｒの各部位からなる。
本実施形態１において表面シート１は、吸収性コア（図示省略）を被覆シート（図示省略）で被覆してなる吸収体３の幅方向左右側縁部から外方に向けて延出し、その延出した部分は吸収体３の非肌面側に巻き込まれて裏面シート２に接合されている。さらに一対のサイドシート４，４が、表面シート１の縦方向に一致する長さで表面シート１の肌当接面側に積層し、吸収体３の幅方向左右側縁外方にそれぞれ延出している。サイドシート４の延出した部分と裏面シート２の幅方向に延出した部分とが積層してその幅方向外側で接合されている。該サイドシート４は、立体ギャザーとして起立性防漏カフをなす自由端縁を有し、該自由端縁に内装した立体ギャザー用弾性部材４１が着用状態で尿とりパッドの縦方向に収縮して着用者の肌面に向け突出するように起立する。それにより前記自由端縁が肌にしっかりと当接し、排泄物の外部への移行を遮断して横漏れを効果的に防止する。前記立体ギャザー用弾性部材４１は、少なくとも股下部Ｃに配されており、更に腹側部Ｆ及び／又は背側部Ｒ側にも延びて配されていることが好ましい。その接合方法は、この種のものに用いられる通常の方法を用いることができる。なお図２等の断面図では理解のため立体ギャザーが起立した状態で図示したが、伸長展開状態では起立していないことが前提となる。
【００１０】
本実施形態１の尿とりパッド１０において、その平面視について、吸収本体部１０ａの股下部Ｃ付近の左右幅方向端縁外方に、そこから突出するようにウィング部５が形成されている。該ウィング部５は、吸収本体部１０ａとの境界であるウィング基端位置５ｔを底辺としてそこからゆるやかな台形状の曲線を描くようにウィング外周縁部５ｓを形成している。本実施形態１のウィング部５は、その厚み方向において防水性の裏面シート２が幅方向に延出した裏側シート部５２と、該裏側シート部５２の肌面側に積層される光透過率の高い表側シート５１とからなる。本実施形態１において、表側シート５１は、その平面視について、ウィング基端位置５ｔを越えて内方へ入り込んで、サイドシート４と裏面シート２との間で接合されている（図２参照）。このサイドシート４、表側シート５１及び裏面シート２の接合部分の内方接合端ｋと標識材（インジケータ）６の内側先端６ｂとの間を特に基底部ｇという（図２参照）。また裏側シート部５２の非肌面側には着衣固定用の粘着剤５３が配設されている（図２参照）。
本実施形態１において、表側シート５１と裏側シート部５２との間には水分によって視覚的に変化することにより、排泄液を検知する標識剤（インジケータ）６が挟持され、このインジケータ６の視覚的変化は表側シート５１を介して目視することができる。インジケータ６は排尿等の水分に反応するものであり、例えばｐＨの変化によって色が変化する呈色指示薬を含む親水性組成物からなるものである。また「視覚的変化」あるいは「変色」とは、水分との接触で、ある色から他の色への色変化、有色から無色への色消失、無色から有色への色出現を含む意味である。
【００１１】
本実施形態１において、図２（ａ）に示す展開状態の尿とりパッド１０を、ウィング基端位置５ｔあるいはその周辺位置に沿ってウィング部５を物品幅方向内側へ向けて、かつ裏面シート２の存在する側へ折り曲げ、外側着用物品である着衣ｗのクロッチ部分等を巻き込むようにして粘着剤５３で固定する。この固定された状態が尿とりパッドの使用状態であり、図２（ｂ）に示すとおり、ウィング部５のインジケータ６と吸収本体部１０ａ内部の吸収体３とは厚み方向に積層した位置関係となる。本実施形態１において、装着状態では表側シート５１が反転して非肌当接面側に配される。該表側シート５１は着衣等よりも外側に位置することになるので、着衣ｗの外側からでもウィング部５の表側シート５１及びこれを介してインジケータ６の視覚的変化を認識することができる。つまり尿とりパッド１０を着衣ｗに装着したままでも吸収体３に排泄尿等が吸収保持されたことを認識することができる。それによって尿漏れする前にタイミングよく尿とりパッドを取り替えることが可能となる。なお本実施形態１において、詳細は後述するが、このインジケータ６の視覚的変化は、吸収性本体１０ａ内部で気化した排泄尿の水蒸気がウィング部５に移行しその内部で結露すること等で生じる。本実施形態１の尿とりパッドでは、吸収体３に視認のための穴を設ける必要がなく吸収体の吸収性能を落とす必要がない。また本実施形態１の尿とりパッド１０において、ウィング部５，５を設けることで、着用者の排尿ポイントｐ（図３参照）を含む前記股下部Ｃをしっかりと固定できズレを抑えられる。ここで排尿ポイントｐとは、着用者が尿とりパッド１０を着用した際に尿が排泄される領域及びその周辺を意味し主に股下部Ｃを中心とする部分である。本発明の張出し部は、幅方向に関して排尿ポイントｐから外方へ延びる領域を含むように配されると、時機良いインジケータの視覚的変化が得られ易い。なお、本実施形態１においては、この排尿ポイントを含む股下部Ｃの幅方向外方にウィング部５，５が配設されている。
【００１２】
本発明においては、特に断らない限り、着用者が着用した際に人体に相対的に近い方（典型的には、接触する方）の側を肌面側ないし肌当接面側あるいは表面側ないし内側といい、これと反対側を非肌面側ないし非肌当接面側あるいは裏面側ないし外側という。装着時に人体の前側に位置する方向を前方といいその端部を前端部とし、後側に位置する方向を後方といいその端部を後端部として説明する。吸収性物品の表面又は裏面の法線方向を厚み方向という。さらに、吸収性物品の平面視において腹側部Ｆから股下部Ｃを介して背側部Ｒに亘る方向を縦方向といい、この縦方向と直交する方向を幅方向という。なお、前記縦方向は典型的には装着状態において人体の前後方向と一致する。また張出し部（ウィング部）については、展開伸長した状態で吸収性本体の肌面側もしくは非肌面側と一致する面方向として呼ぶ。また、外側着用物品とは、本発明の吸収性物品をその内側に配置、固定しうる着用物品を指し、具体的には下着、おむつ、又はパッドホルダーである。
【００１３】
ここで図２を参照して、インジケータ６が視覚的変化をおこす過程について説明する。本実施形態１の尿とりパッド１０において、着用者の肌面側に位置する液透過性の表面シート１に排泄尿等が接触すると、液は拡散しつつ厚み方向へと浸透する。浸透した液は、パルプ繊維と高吸収性ポリマーとを有する吸収体３で吸収保持される。この吸収保持された液が吸収体３の非肌面側（裏面シート２側の面）に到達すると、防水性の裏面シート２によって液そのものの漏れは抑えられる。この液の一部は気化して水蒸気となり、おむつ内部にて移動しウィング部５内部に存在するものがある。この状態ですぐには、ウィング部５内に存在する水蒸気に変化は起きないと考えられる。しかし、その後裏面シート２の液が放置又は吸収体３によって再吸収されると液の存在していた裏面シート２の部位は急激に冷却され、ウィング５における肌当接面側と肌当接面側とには温度差が生じる。この温度差によってウィング５内の水蒸気の一部が結露し、インジケータ６に視覚的変化を起こすものと考えられる。また、裏面シート２及びウィング部５の裏側シート部５２が透湿性である場合には、以下のメカニズムによってよりインジケータ６が視覚的変化を起こし易くなるものと考えられる。裏面シート２まで又はその近くまで到達した排泄尿の一部は気化して水蒸気となる。この水蒸気の一部は尿とりパッド１０の内部で基底部ｇを介してウィング部５内に入り込む。該ウィング部５自体は着衣ｗよりも非肌当接面側に位置し、その内部は着用者の肌に当接する吸収性本体１０ａ内部に比して相対的に低い温度である。そのためウィング部５内部の水蒸気は、相対的な温度差によって結露し、インジケータ６に触れることによって視覚的変化がおきると考えられる。なお前述の水蒸気の移動は吸収体３の非肌面側から図２に示す液拡散機構７である部材間の空間を介してなされるものであってもよい。
【００１４】
・防水性及び透湿性の好ましい数値範囲
本実施形態１において、裏面シート２及びウィング部５の裏側シート部５２の防水性の程度は、液体の透過を十分に阻止する観点から、耐水圧で１００ｍｍ以上が好ましく、５００ｍｍ以上がさらに好ましい。また裏面シート２ないしその裏側シート部５２が透湿性を有する場合、その程度は、インジケータの変色を発揮し、防水性を維持しつつ、おむつ内部のムレやそれに伴う着用者の肌のカブレを十分に防止する観点から、０．５〜４．０ｇ／（１００ｃｍ２・ｈ）が好ましく、１．０〜２．５ｇ／（１００ｃｍ２・ｈ）がさらに好ましい。この範囲にあることで裏面シート２に到達した液そのものは通過せず蒸気だけが通過するようにできる。またウィング部５の裏側シート部５２において蒸気そのものは通過するが、ウィング部５内部で結露した水分は裏側シート部５２を通過せず着衣側に戻るのを防ぐ。このようにすることで着衣への水分の付着を抑えることができる。なお、シート材の防水性及び透湿性の測定方法については後述する。
【００１５】
本実施形態１のウィング部５において、インジケータ６は裏側シート部５２の肌面側に幅方向に延在するように４条塗布され、表側シート５１と裏側シート部５２とが接合されている。本実施形態１においてインジケータ６は、呈色指示薬を含む親水性組成物からなり、該親水組成物に結露した水分が触れることで変色する。この水分と前記親水組成物とが確実に接触する観点から、ウィング部５を折り返した状態で、該インジケータ６の外側先端６ａ（図２（ｂ）参照）と吸収体の幅方向中心線との距離が２０ｍｍ以内であることが好ましく、１０ｍｍ以内であることが視覚的変化を起し易くなるのでさらに好ましい。同様にインジケータ６の内側先端６ｂ（図２参照）と表側シート５１と裏面シート２との内側接合端ｋとの距離（基底部ｇの距離）が５ｍｍ以内であることが好ましく、２ｍｍ以内であることがさらに好ましい。ここで「水分」というとき、単に水のみならず液分だけでなく、水に酸、塩基、有機化合物が溶解した水系組成物を含む。
【００１６】
本実施形態１において、ウィング部５の表側シート５１は、インジケータ６の視覚的変化（変色、色消失、色出現）が視認可能とされている。透明性の指標としては、ＪＩＳ  Ｐ８１３８に準じて測定する不透明度が５０％以下であることが好ましく、４０％以下であることより好ましく、３０％以下であることがさらに好ましい。なお本実施形態１において、表側シート５１は、１つのシート材をサイドシート４と接合するようにされているが、これに代えて吸収本体部１０ａを構成するサイドシート４などのシート材の一部が延出して表側シート５１とし、部分的に不透明度を下げる処理を施してもよい。本実施形態１は、下着やおむつカバーに装着して使用するナプキンや尿とりパッドが好ましく、該下着やおむつカバーは蒸気の透過を阻害しない透湿性を有することが好ましい。
【００１７】
［実施形態２］
図３は本発明の別の実施形態（実施形態２）としての尿とりパッド２０を展開し伸長した状態を模式的に示す平面図であり、図４は図３のＩＶ−ＩＶ線断面の拡大断面図である。図５は液拡散機構の変形例としての液拡散路を拡大して模式的に示す部分拡大平面図である。なお図３においてインジケータ６の形状及び配列が明確となるよう、実線で外形を示し斑点模様を付した。また、図３において表面シートの外形において破線（隠れ線）による図示は省略し、これに包まれた吸収体３のみを破線で示している。
本実施形態２の尿とりパッド２０は、前記実施形態１の撥水性のサイドシート４が吸収体３の幅方向に廻りこみ吸収体３の非肌面側の全面を被覆している。本実施形態２の尿とりパッドは、吸収体３と裏面シート２との間で幅方向に液を拡散させる液拡散機構７としての液拡散空間７１が配されている。この液拡散空間７１による液の拡散によって、吸収体３に吸収された液をウィング部５のインジケータ６へと導くことができる。この液拡散空間７１は、尿とりパッドが使用前に形成されている必要はなく、製品がパッケージ形態で販売されるような場合に圧縮されて空間が潰れていても、排泄液が到達した際に空間が形成されればよい。また、使用前においては材料間が親水性の固定手段によって固定されており、排泄液と接触することによって材料間の固定が解除されるようになされていてもよい。なお、液拡散機構とは独立した部材からなる液拡散シート等のみならず所定の部材の一部分において液拡散機能をもたせた部分を含む意味に用いる。
【００１８】
本実施形態２において、サイドシート４と裏面シート２とで形成される液拡散空間７１が液拡散機構７として機能する。この液拡散空間７１は、吸収性本体２０ａの厚み方向においてサイドシート４が吸収体３の非肌面側へ回り込んだ部分（以下、サイドシート下側平面部４２という。）と裏面シート２とで挟まれた、液が幅方向外方に向かうようにされた通路である。該サイドシート下側平面部４２は、撥水性のシート材からなり、その非肌面側では防水性の裏面シート２との間の空間で肌面側への液戻りを防いで液の幅方向への拡散を促す。また前記サイドシート下側平面部４２は、その肌面側ではそこに配置される吸収体３内部の液が必要以上に漏れるのを防ぐ。
本実施形態２において、撥水性のサイドシート下側平面部４２が吸収体の幅方向中心線付近を部分的に親水化処理等によって液透過性を高めた液易透過領域ｖとし、吸収体３から前記液拡散空間７１への液の通路となる。前記液易透過領域ｖの形成方法は、孔を多数設けて液透過性を高める方法、撥水性材料に親水化剤（親水性の界面活性剤等）を付与する方法で液透過性を高める方法が挙げられる。本実施形態の尿とりパッド２０は、このようなサイドシート４の配置によって液漏れを抑えつつ液の幅方向への拡散を効果的になすことができる。なお液易透過領域ｖは本実施形態２の形成方法に限定されず、例えば吸収体３の幅方向中心線付近がサイドシート４で被覆されていない形態であってもよく、更に幅方向中心線付近に別の親水性シート材を配するようにしてもよい。
【００１９】
本実施形態２において、この液拡散空間７１は、吸収性本体２０ａの平面視において排尿ポイントｐを含む股下部Ｃを中心に形成されることが好ましい。該液拡散空間７１の幅方向外方の延長線上にはウィング部５があり、そのまま幅方向に液が伝播されてウィング部５内のインジケータ６を変化させることができる。液拡散空間７１は、液拡散機能を有すれば特に本実施形態２のものに限定することなく様々な形状とすることができる。例えば、本実施形態２の変形例として、股下部Ｃにおいて、液拡散空間７１全体を１つの空隙部とする形状、液拡散空間７１内において幅方向に延びる細長い通路を複数条配設する形状などが挙げられるが、装着時のクロッチ部分の浮き感を抑える観点から前記複数条の幅方向に延在する通路とすることが好ましい。該液拡散空間７１の形成方法は、この機能を有すれば特に限定されることなく様々な方法を採用でき、例えば前記両シート材の非接着部分を設ける方法であってもよく、押圧して溝を形成する方法であってもよい。また液拡散空間７１の別の変形例として、前述の直線的な構造でなくとも、サイドシート下側平面部４２と裏面シート２との間をスパイラル塗工によってホットメルト接着して、接着剤が粗密に塗布されることによる毛細管力を利用した液拡散路とすることもできる。この場合図５に示すように、散在するホットメルト接着剤ｎの粗の部分を液が矢印ｆのように蛇行しながらウィング部５へと向って進む形態にしてもよい。このような通液機構は先に述べた基底部ｇにおいて表側シート５１と裏面シート部２との間で行われてもよい。
【００２０】
本実施形態２において、吸収体３の非肌面側まで到達した液は、吸収体３の幅方向中心線付近からサイドシート下側平面部４２の液易透過領域ｖを通過して液拡散空間７１に到達する。該液拡散空間７１において、液が空間内で漏れ広がり幅方向へと拡散してシート材の接合端ｋ付近まで移動する。この移動した液は、基底部ｇの表側シート５１及び裏面シート２との間を通過し、ウィング部５内のインジケータ６に接触する。この液との接触でインジケータ６に視覚的変化が生じる。
本実施形態２の基底部ｇにおいて、表側シート５１と裏面シート２とは接着されていてもされていなくてもよい。接着状態とする場合、液の通過を考量して、スパイラル塗工によってホットメルト接着剤を粗密に塗布する方法、カーテンスプレー塗工によってホットメルト接着剤をファイバー状に塗工する方法、ビード状に複数本塗工する方法等を採用することができる。一方、非接着部分を設ける場合、サイドシート４の配置が液の漏出を比較的抑えるものの、なお液防漏性の観点からインジケータ６への液受け渡しに必要な部分のみ非接着とすることが好ましい。例えば、基底部ｇにおいて幅方向に延びる複数の接着部を縦方向に対して間欠的に配設することで、その接着部に挟まれた非接合部分を液受け渡し部分とする方法などを採用することができる。
【００２１】
本実施形態２において、液拡散空間７１の縦方向端は、縦方向中心線から前後に５０ｍｍの幅が好ましく、３０ｍｍの幅がさらに好ましい。本実施形態２において、ウィング部５を折り曲げた状態で液が確実に受け渡しされる観点から、インジケータ６の内側先端６ｂの位置は、接合端ｋからの距離（基底部ｇの距離）が２０ｍｍ以内が好ましく、特に１０ｍｍ以内、更には２ｍｍ以内がさらに好ましい。
【００２２】
［実施形態３］
図６は本発明の別の実施形態（実施形態３）としての尿とりパッド３０を展開し伸長した状態を模式的に示す平面図であり、図７は図６のＶＩＩ−ＶＩＩ線断面の拡大断面図である。なお図７においてはインジケータ６の形状及び配列が明確となるよう、実線で外形を示し斑点模様を付した。その他図示上の省略等は図３と同様である。
本実施形態３の尿とりパッド３０においては、実施形態２の液拡散空間７１に代えて液拡散シート７２が液拡散機構７として配設されている。また本実施形態３のウィング部５内部のインジケータ６は縦方向に延在するように４条塗布されている。該４条のインジケータ６はウィング基端位置５ｔと平行にされている。この配置にすることで最内側に位置するインジケータ６１から順に最外側のインジケータ６４へと経時的に変色を目視でき液漏れを段階的に認識しやすい。また、最外側に位置するインジケータ６４を疎水性のホットメルト接合されたインジケータとすることで、液漏れをさらに効果的に回避することができるので好ましい。その他の部材については実施形態１のものを採用している。本実施形態３において、接合端ｋとインジケータ６１の内方側縁との間を基底部ｇ１という（図７参照）。
【００２３】
本実施形態３の液拡散シート７２は、吸収体３と裏面シート２との間に配され、左右幅方向外方へと延在している。該液拡散シート７２の幅方向端７２ａ，７２ａは、接合端ｋ付近で表側シート５１と裏面シート２との間に介在されている。なお液拡散シート７２は、このような配置に限定されず適宜変更可能である。例えば、液が基底部ｇ１を伝ってインジケータと接触可能とされるのであれば、液拡散シート７２の幅方向端７２ａは接合端ｋより内方に位置していてもよく、逆にウィング基端位置５ｔ付近まであってもよい。また液拡散シート７２とインジケータ６１とは必ずしも接触している必要はなく、接触していてもいなくてもよい。
本実施形態３において、液拡散シート７２の液拡散性能はクレム吸水高さで示され、ウィング部５への液を素早くかつ正確に伝播させる観点から、幅方向へのクレム吸水高さが２５ｍｍ以上であることが好ましく、２５ｍｍ〜１００ｍｍであることがより好ましく、３５ｍｍ〜８０ｍｍであることがさらに好ましい。このように液拡散性に優れた液拡散シート７２を配設することによって、幅方向への液拡散を適度にかつ容易に導きやすくなりインジケータの変化に効果的である。液を幅方向へ効果的に拡散するためには、矩形の液拡散シートを股下部Ｃにおいて、排泄ポイント近傍に配置することで、ウィング部５のインジケータに確実に液を伝達することができる。
【００２４】
液拡散シート７２が配設される平面視における範囲として、その縦方向端は、縦方向中心線から前後に５０ｍｍの幅が好ましく、３０ｍｍの幅がさらに好ましい。またウィング部５を折り曲げた状態で液が確実に受け渡しされる観点から、最内側に位置するインジケータ６１は、接合端ｋからの距離（基底部ｇ１の距離）が２０ｍｍ以内に配されるのが好ましく、特に１０ｍｍ以内、更には２ｍｍ以内に配されるの好ましい。本実施形態３において、ウィング部５の表側シート５１及び裏側シート部５２は実施形態２と同様に基底部ｇ１において接合されていてもされていなくてもよいが、液の受け渡しを確実にする観点から、必要最小限の非接合部分を設けることが好ましい。例えば、実施形態２で採用される受け渡し構造などが挙げられる。
【００２５】
［実施形態４及び５］
図８は本発明のさらに別の実施形態（実施形態４）としての尿とりパッド４０を展開し伸長した状態を模式的に示す平面図である。図９は本発明のさらに別の実施形態（実施形態４）としての尿とりパッド５０の展開し伸長した状態を模式的に示す平面図である。いずれの図においてもインジケータ６の形状及び配列が明確となるよう、実線で外形を示し斑点模様を付した。
図８及び図９に示すインジケータは、いずれも尿とりパッドの幅方向に複数個所存在するように配置した例であり、液漏れを段階的に認識しやすく好ましい。これらのインジケータは、実施形態１〜３の尿とりパッド１０〜３０に適宜適用可能である。
【００２６】
以下本実施形態１〜５の尿とりパッドを構成する部材の素材について説明する。
［裏面シート］
裏面シート２の形成材料としては、防水性があれば特に限定されないが、透湿性であることが、インジケータの視覚的変化を引き起こしやすく、かつ、着用物品内の蒸れが抑制しやすくなるので好ましい。例えば疎水性の熱可塑性樹脂と、炭酸カルシウム等からなる微小な無機フィラー又は相溶性のない有機高分子等とを溶融混練してフィルムを形成し、該フィルムを一軸又は二軸延伸して得られる多孔性フィルムが挙げられる。前記熱可塑性樹脂としては、ポリオレフィンが挙げられる。該ポリオレフィンとしては、高〜低密度ポリエチレン、線状低密度ポリエチレン、ポリプロピレン、ポリブテン等が挙げられ、これらを単独で又は混合して用いることができる。さらに裏面シート５あるいは少なくともその延出部分である裏側シート部５２において、インジケータの視認性を向上させるよう適切な素材を採用することが好ましい。例えば、シート材の坪量を１５〜７０ｇ／ｍ２とすることが好ましく、２５〜５０ｇ／ｍ２とすることがさらに好ましい。シート材の配色としては、透明なものであっても有色系であってもよいが、下着等の被装着物品の色（特に年配女性が下着の色として好むベージュ等の有色系）によってインジケータの色（特に、変色後の色）が視認しにくくなることを避ける観点から、淡色系、特に薄い灰色や白色であることが好ましい。裏側シート部５２にこのような配色のシート材を採用する場合には、少なくともインジケータと重なる領域において配置されていればよい。なお本実施形態において、裏側シート部５２は裏面シート２の延出した部分として形成されるが、これに代えて別のシート材からなってもよい。
【００２７】
（耐水圧の測定）
裏面シート２の防水性を示す耐水圧の測定は、特に断らない限り、ＪＩＳ  Ｌ１０９２繊維製品の防水性試験方法に準じて行う。ＪＩＳに示された耐水度試験（静水圧法、Ａ法）は主に通気性のない繊維製品に適用されるものとして定められており、通気性のある製品に適用する場合はスプレー法を適用する。しかし、吸収性物品の場合、実使用時を想定するとスプレー状に液体の負荷がかかる場合は想定されにくく、むしろ耐水度試験の条件に即していると考えられる。
【００２８】
（透湿性の測定）
シート材の透湿性の測定は、特に断らない限り、ＪＩＳ  Ｚ０２０８防湿包装材料の透湿試験方法に準じ、温度条件は３５℃として行う。
具体的には、まず透湿カップ内に吸湿剤（塩化カルシウム）を入れ、この透湿カップの口に直径７０ｍｍに裁断した試験片をのせて、パッキン及びリングを蝶ナットで固定した後、透湿カップと試料の接合部をビニル粘着テープでシールして試験体とする。この試験体を３５±２℃、９０±５％ＲＨの恒温恒湿装置内に所定時間放置する。１時間後に試験体を取り出し、質量を測定し、測定後再び恒温恒湿装置内に置き、４時間後に取り出して質量を測定し、次式により、透湿度を、シート（１ｍ2当たり）を通過した水蒸気の質量（ｇ）として求める。なお、前述の透湿度の好ましい数値範囲は、１ｇ／１００ｃｍ２・ｈ＝２４００ｇ／ｍ２・２４ｈとして示す。
透湿度（ｇ／ｍ２・２４ｈ）＝（２４０×ｍ）／（ｔ・ｓ）
ｓ：透湿面積（ｃｍ２）
ｔ：試験を行った最後の２つのひょう量間隔の時間の合計（ｈ）
ｍ：試験を行った最後の２つのひょう量間隔・増加質量の合計（ｍｇ）
【００２９】
［インジケータ］
インジケータをなす親水性組成物に含有される呈色指示薬としては、ｐＨが３〜７で色が変化するものが好ましく、その例としてはブロモフェノールブルー、メチルオレンジ、アリザリンＳ、ブロモクレゾールグリーン、メチルレッド、ブロモクレゾールパープル等が挙げられるが、これらに限定されるものではない。これらの呈色指示薬のうち特に好ましいものとしては、ブロモフェノールブルー、ブロモクレゾールグリーン及びブロモクレゾールパープル等が挙げられる。これらの呈色指示薬は、上記親水性組成物の全量（酸性化合物＋呈色指示薬）に対して好ましくは０．０１〜５０質量％、更に好ましくは０．０１〜４０質量％、一層好ましくは０．０１〜１質量％、最も好ましくは０．０１〜０．５質量％含有される。呈色指示薬の量が０．０１質量％に満たないと変色しても色が薄く、外部から視認しづらくなることがあり、５０質量％を超えると親水性組成物の変色前の色が濃すぎて外観がよくなく、更にコスト高になることがあるので上記範囲内とすることが好ましい。
【００３０】
本発明において、少量の水分や高温・多湿下における排泄尿以外での変色を回避する観点から、親水性組成物に、特許第３５５８８２８号明細書に記載された、該親水性組成物のｐＨを保つことが可能で且つ該親水性組成物が水と接触しただけではそのｐＨが４を超えないように維持することが可能な酸性化合物を含有させ、またウィング部５の裏側シート部５２に、水分に溶解するとアルカリ性を呈する水溶性化合物を含有させることもできる。またインジケータをなす親水性組成物は、さらに粘着性を有する親水性ポリマーを含有することもできる。親水性組成物にホットメルト接着性が付与されてウィング部５の表側シート５１と裏側シート部５２との接合・固定が一層強固なものになると共に、ホットメルト塗工装置があれば、ライン上で塗工可能であり、加工適性が良くなる。即ち、上記酸性化合物、上記呈色指示薬および上記親水性ポリマーを含有してなる親水性組成物は、ホットメルト接着剤として機能する。上記親水性組成物は、上述した成分に加えて酸化防止剤、紫外線吸収剤等を含有していてもよい。これらの成分は、上記親水性組成物の全量に対して０．５〜５質量％含有されることが好ましく、０．５〜３質量％含有されることが更に好ましい。なお本発明において、インジケータは、裏側シート部５２に直接塗布する方法以外に、ティッシュペーパーや親水性不織布等の親水性シートに塗布したものを介在させることもできる。
【００３１】
［表側シート］
ウィング部５の表側シート５１の素材として、インジケータの色目が視認できる程度に坪量、嵩密度、空隙量を制御したシート（不織布やフィルム、またはこれらの複合体）を用いたり、光透過性が高いシート（例えば、透明性が高いシートや部分的に孔を有するシート等）を用いたりすることができる。
ウィング部５の表側シート５１の形成素材としてフィルムを用いる場合、坪量１０〜４０ｇ／ｍ２の多孔性フィルムを使用すると、変化剤の視覚的変化がおむつ外部から認識し易くなると共に、柔軟な感触が得られるので好ましい。フィルム材としては、例えば、透明フィルムを用いることができる。該透明フィルムとしては、例えば、ポリエチレン、ポリ酢酸ビニル、エチレン−酢酸ビニル共重合体等の熱可塑性樹脂からなる透明フィルム、あるいはこれらの透明フィルムを貼り合わせてなる複合フィルムで、且つ着色剤を含まないものを用いることができる。このフィルム材は透明性の高いフィルムのみで構成してもよいが、表面側シート部に不織布を配するラミネート構成とすると肌触りがよく好ましい。また撥水性の不織布（この場合、好ましくは耐水圧１００ｍｍ以上）のものだけで構成してもよい。ウィング部５の表側シート５１の形成素材として不織布を用いる場合、適度な光透過性が得られる坪量及び／又は厚さのものを用いることが好ましい。該不織布はその坪量が５〜４５ｇ／ｍ２、特に１０〜４０ｇ／ｍ２であることが、視覚的変化の認識性と風合いや手触りなどの官能的な性能とを両立する点から好ましい。不織布としては、例えばポリエチレンやポリプロピレン等のポリオレフィン、ポリエチレンテレフタレート等のポリエステルからなる熱可塑性樹脂単独の繊維や、これらの樹脂の２種以上を用いてなる芯鞘型やサイドバイサイド型の構造を有する複合繊維から構成される不織布等が挙げられる。また不織布としては、その地色の透明度が高く且つ白色度が高いものを用いることが、視覚的変化の認識性が高まるので好ましい。但し不織布シートは、ウィング部５の厚み方向に関して、インジケータを配した領域との重なり部分において、当該重なり部分の大部分が白色であれば良く、当該重なり部分以外の領域に、インジケータの視覚的変化の認識性を妨げない範囲で印刷を施しても構わない。
【００３２】
・ウィング部５の表側シート５１の透明度の測定方法
ウィング部５の表側シート５１の透明度を示す指標は、前述のとおり不透明度の数値で示すことができる。この不透明度は、例えば日本電色工業（株）製の分光色差計（ＳＥ−２０００、６０００等）を用いて前記ＪＩＳ  Ｐ８１３８のＡ法あるいはＢ法に準じて測定し、次式により算出することができる。
不透明度（％）Ｃ＝（Ｒ０／Ｒ０．８９）×１００
Ｒ０：裏当て黒色板を用いたときの試料の反射率
Ｒ０．８９：裏当て白色板を用いたときの試料の反射率
【００３３】
［粘着剤］
また、裏側シート部５２の非肌側面に配設された粘着剤５３は、この種の物品に用いられるものを採用することができるが、インジケータの視認性向上の観点から適切な素材を採用することができる。例えば、粘着剤５３の色が、インジケータの変色後の色よりも淡色か透明であることが好ましい。淡色の粘着剤５３とするには、透明の被膜を形成するホットメルト粘着剤等を塗布することにより形成することができる。透明の粘着剤５３の形成材料となる粘着剤としては、例えば、スチレン−ブタジエン−スチレン（ＳＢＳ）系、スチレン−エチレン−ブタジエン−スチレン（ＳＥＢＳ）系、オレフィン系ホットメルト等を用いることができる。粘着剤５３における粘着剤の塗布量は、１０〜７０ｇ／ｍ２が好ましい。
【００３４】
［液拡散シート］
液拡散シート７２の形成素材として、通常の親水性シート、具体的にはレーヨン、コットン、パルプなどの親水性繊維等を含むものが挙げられる。拡散シートは幅方向へのクレム吸水高さが２５ｍｍ以上であることが、ウィング部５への体液情報を素早く伝える観点から好ましい。好ましくは、２５ｍｍ〜１００ｍｍ、特に３５ｍｍ〜８０ｍｍであると、インジケータへの体液情報伝達が素早く、かつ正確になされるので好ましい。拡散性を制御する方法としては、シートを構成する親水性繊維に加えて、（１）親水性粒子を含ませること、（２）疎水性繊維を含ませること、が挙げられる。親水性粒子としては、シリカ、酸化チタン、酸化アルミニウム等が挙げられ、特に酸化チタンが好ましい。疎水性繊維を加える場合には、親水性繊維を５０質量％以上、特に６０質量％以上、疎水性繊維を５０質量％未満、特に４０質量％未満の量で含むことができる。疎水性繊維としては例えば各種熱可塑性樹脂からなる繊維を用いることができる。本発明で使用される親水性繊維（不織布）の中には、疎水性の熱可塑性樹脂からなる繊維を各種親水処理した繊維や、疎水性繊維からなる不織布を各種親水化処理した不織布も含まれる。これらの繊維を含む繊維シートとしては、例えばスパンレース不織布、エアスルー不織布、紙などが挙げられる。具体的にはレーヨンとポリオレフィン系繊維とからなるスパンレース不織布が挙げられる。これらの繊維シートの坪量は１５〜５０ｇ／ｍ２、特に１８〜３５ｇ／ｍ２であることが好ましい。
【００３５】
（液拡散シートのクレム吸水高さの測定方法）
液拡散シート７２の液拡散性を示すクレム吸水高さの測定は、ＪＩＳ  Ｐ８１４１の紙及び板紙−吸水度試験方法−クレム法に順じて行うことができる。即ち、液拡散シートを幅２０ｍｍ、長さ２００ｍｍの短冊状に裁断した後、長手方向を鉛直方向にして下端から１５ｍｍの部分までを水に浸し、水に浸してから１０分後に水が何ｍｍ吸い上げられたかを測定する。この測定値をクレム吸水高さとする。
【００３６】
［その他の素材］
表面シート１、サイドシート４及び吸収体３の形成材料としては、通常吸収性物品に使用されているものを用いることができる。
表面シート１としては、親水性不織布が好ましく、エアスルー不織布、ポイントボンド不織布、スパンボンド不織布、スパンレース不織布、立体賦形不織布と呼ばれている不織布で、その繊維がポリプロピレンの単繊維や、ポリプロピレンとポリエチレンの複合繊維、ポリエチレンテレフタレートとポリエチレンの複合繊維等で親水化処理が施された繊維が好ましく、その坪量１５〜５０ｇ／ｍ２のものが好適に使用できる。また、表面シート１の股下部分には、表面シート１の非肌面側に親水性穴開きフィルムや親水性不織布が部分的に重ねられていてもよい。
サイドシート４としては、撥水性不織布が好ましく、具体的には、スパンボンド不織布、スパンボンド−メルトブローン（ＳＭ）不織布、スパンボンド−メルトブローン−スパンボンド（ＳＭＳ）不織布等が用いられる。サイドシート４の立体ギャザー用弾性部材４１としては、この種の物品に用いられる通常の弾性部材を用いることができ、例えば素材としては、スチレン−ブタジエン、ブタジエン、イソプレン、ネオプレン等の合成ゴム、天然ゴム、ＥＶＡ、伸縮性ポリオレフィン、ポリウレタン等を挙げることができ、形態としては、断面が矩形、正方形、円形、多角形状等の糸状ないし紐状（平ゴム等）のもの、或いはマルチフィラメントタイプの糸状のもの等を用いることができる。
【００３７】
吸収体３の形成材料としては、通常吸収性物品に用いられるものを用いることができる。具体的には例えば、吸収性コアとしては、繊維集合体又はこれと高分子吸水ポリマーとを併用させたもの等を用いることができる。繊維集合体を構成する繊維としては、パルプ繊維等の親水性天然繊維や、合成繊維（好ましくは親水化処理を施したもの）等を用いることができる。坪量は特に限定されないが、１５０ｇ／ｍ２〜５００ｇ／ｍ２が好ましい。また吸収性コアを被覆する被覆シートとしては、親水性のティッシュペーパー等の薄手の紙（薄葉紙）、親水性の不織布（ＳＭＳ、ＳＭＭＳ、ＳＳＭＳ等の複合不織布）からなるものを用いることができる。
【００３８】
以上、具体的な実施形態として張出し部がウィング形状の場合について述べた。ウィング形状の張出し部（ウィング部）はおむつや下着、パッドホルダー等の外側着用物品の外側への露出性が高いため視認性が良好であるとの観点や、尿とりパッドとしてはおむつやパッドホルダー等の外側着用物品への固定性の観点から好ましい。一方、本発明において「張出し部」はウィング形状に限定されず、たとえば、吸収本体部から幅方向外方へ突出する１本または複数本のストリップ形状であってもよいし、縦方向に延びる複数の襞形状であってもよい。「張出し部」は、通常外側（非肌面側）に着用されて併用されるおむつや下着、パッドホルダー等の外側着用物品の内側に位置する吸収本体部に対して外側へ露出可能になされた部分であることが好ましい。但し、外側着用物品が、その脚周り部を着用者の大腿部にまで延ばす、いわゆるボクサーブリーフタイプであるような場合には、張出し部が外側着用物品の大腿部当接部分に折り返し可能にまで延びる形態であれば、外側着用物品の脚開口部を捲ることでインジケータの視覚的変化が確認できるので、張出し部が外側着用物品の外側に露出することは必要ではない。また、上記実施形態では張出し部が物品の股下部Ｃにおける縦方向中央部に配されていたが、腹側部寄り又は背側部寄りに偏倚していてもよい。更に、張出し部は腹側部Ｆや背側部Ｒに設けられていてもよい。
【００３９】
本発明の吸収性物品は、上記実施形態に限定されるものではなく、実施形態１の裏面シートと実施形態２及び３の液拡散機構と組み合わせたものであってもよく、液が吸収体から液拡散機構を経由してインジケータを変化させるものであれば実施形態２及び３で用いられる部材を適宜入れ替え組み合わせたものであってもよい。本発明の吸収体物品は、上記実施形態における尿とりパッドに限らず、乳幼児用あるいは大人用の展開型使い捨ておむつやパンツ型使い捨ておむつであってもよく、また生理用ナプキン、パンティライナーや軽失禁パッドであってもよい。
【符号の説明】
【００４０】
１  表面シート
２  裏面シート
３  吸収体
４  サイドシート
５  ウィング部
５１  表側シート
５２  裏側シート部
５３  粘着剤
５ｔ  ウィング基端位置
６  標識材（インジケータ）
７  液拡散機構
７１  液拡散空間
７２  液拡散シート
１０，２０，３０，４０，５０  尿とりパッド
【図１】
0005529619.tif 000002
【図２】
0005529619.tif 000003
【図３】
0005529619.tif 000004
【図４】
0005529619.tif 000005
【図５】
0005529619.tif 000006
【図６】
0005529619.tif 000007
【図７】
0005529619.tif 000008
【図８】
0005529619.tif 000009
【図９】
0005529619.tif 000010